(57)【特許請求の範囲】
【請求項１】
電気、水、空気等を媒体として作動する各種治療器具がマルチジョイントホースを介して治療装置本体に着脱自在に構成された歯科治療装置において、
各種治療器具と、
治療器具の種類に対応して必要な作動媒体のみを供給する供給回路を内蔵すると共に一端に治療器具に接続する接続端子を有し他端に治療装置本体に接続する接続端子を有する各種マルチジョイントホースと、
治療器具の配置位置を任意に設定する配置位置設定手段、作動媒体供給源、各種治療器具のいずれにも対応して各種作動媒体を供給し得る供給回路、各種作動媒体の供給を選択的に設定して治療器具の作動に必要な作動媒体のみを供給する作動媒体供給設定手段、及び各種治療器具をマルチジョイントホースを介して共通に接続し得る複数の接続端子を備えた治療装置本体と、前記治療装置本体の作動媒体供給設定手段により設定された治療器具の配置位置に対して所定の治療器具が接続されたことを認識すると共に、所定の種類以外の治療器具が接続された際に誤接続されたことを検出して警告表示及び／又は警告音にて知らせる警報装置とから成ることを特徴とする歯科治療装置。
【請求項２】
前記配置位置設定手段及び前記作動媒体供給設定手段は、治療器具の配置位置や作動媒体の選択及び供給等の環境設定を液晶表示画面上にてパネルスイッチ操作により行なうことを可能に構成して成ることを特徴とする請求項１記載の歯科治療装置。
【請求項３】
マルチジョイントホース側の接続端子と治療装置本体側の接続端子との接続部に治療器具の種類を検知し得る光反射型センサー又は光透過型センサーから成る非接触型センサーを設けることにより構成したことを特徴とする請求項１又は２記載の歯科治療装置。
【発明の詳細な説明】
【０００１】
【発明の属する技術分野】
本発明は、電気、水、空気等を媒体として作動する各種治療器具がマルチジョイントホースを介して治療装置本体に着脱自在に構成された歯科治療装置に関する。
【０００２】
【従来の技術】
従来から用いられている歯科治療器具にはハンドピース、マイクロモータ、超音波スケーラ、光重合器などがある。図５〜７に示すようにこれらの治療器具１は可撓性のマルチジョイントホース２の一端に接続端子３を介して着脱自在に接続され、マルチジョイントホース２の他端は接続端子４を介して治療装置本体５側に着脱自在に接続されていて、治療器具１は常時は治療装置本体５のホルダー６に掛止されている。そして使用時には術者がこれらの治療器具１を選択してホルダー６から取り上げ、治療装置本体５側から供給される電気、水、空気等の作動媒体を介して作動させつつ治療を行なうものである。
【０００３】
しかるに前記治療装置本体５にはできるだけ多くの種類の治療器具１を装備しておいて、自由に選択しながら治療できることが望ましいが、多くの種類の治療器具１を装備すると治療装置本体５側の広範囲から多くのホース２が導出されることになり、ホース２同士が絡まって診療の妨げになるという問題がある。このために従来から治療装置本体５に対して治療に必要な最小限の種類の治療器具１をマルチジョイントホース２を介して着脱自在に装備することができるように考慮された装置が既に開発されている。
【０００４】
この前記従来の歯科用治療装置の例としては、特公平６−９５７７号公報、特開２００１−１７８７５３号公報、及び特公平３−３４３４５号公報に開示された発明が知られている。
特公平６−９５７７号公報に開示された発明には、各種の治療器具を共通に接続することができる可撓性のマルチジョイントホースが用いられており、このマルチジョイントホースの一端に治療器具を接続端子を介して接続し、他端を接続端子を介して治療装置本体側に選択的に接続した際に、接続された治療器具の電気回路素子抵抗あるいはインピーダンスが当該治療器具の固有信号要素として読み取られ、その信号が治療装置本体に導かれて治療器具の種類が検知されると共に、治療装置本体に装備された各種の作動媒体供給手段のうち、当該治療器具の作動に必要な作動媒体供給手段のみを最適な条件にて作動するように構成されたものである。また治療装置本体には可撓性のマルチジョイントホースに内蔵する検知信号回路と作動電力供給回路とを切り換えて用いることができる切替え手段が設けられている。
【０００５】
特開２００１−１７８７５３号公報に開示された発明は、治療装置本体に対して、特定の作動媒体を供給し、例えば作動媒体として電源のみの供給あるいは電源、水、空気等の複数種の供給等のために、作動媒体の種類別に共通化した専用通電接続端子を設け、この専用通電接続端子に対応した治療器具をマルチジョイントホースを介して着脱自在に接続することができるようにしたもので、接続端子には接続する治療器具の種類を判別する端子が含まれており、判別手段にて治療器具の種類を自動的に判別してその種類に対応した必要な作動媒体を自動的に供給することができるように構成されている。
【０００６】
特公平３−３４３４５号公報に開示された発明は、治療装置本体側の接続具群及び治療器具側の接続具群それぞれが構造的に同一に構成され、かつ取り外し容易な連結手段にて互いに連結し得る構成の歯科装置用制御装置として提案されたものである。そしてこの装置は、治療装置本体と、電流と、水のような作動媒体の供給導管を有するものであり、それぞれの供給導管には治療器具が接続具を介して接続され、接続された治療器具が治療装置本体側の複数の鈎部に係脱自在に掛けられており、対応する接続具の連結要素が互いに接続された状態で治療装置本体から治療器具へ作動媒体が供給され得る状態になる制御装置において、治療装置本体側の接続具が治療装置本体外から近接容易な箇所に配置されており、治療装置本体側の接続具群及び治療器具側の接続具群それぞれが構造的に同一に構成され、かつ取り外し容易な連結手段により連結可能となっており、治療器具側の接続具が治療装置本体側の接続具に任意の組み合わせで接続され得るように全ての治療器具の作動媒体を考慮に入れて計画された位置に接続具内の個々の作動媒体に対する連結要素が配置されており、また治療装置本体側の接続具の１つへの治療器具側接続具の接続時に当該治療器具に対応づけられている作動媒体に対する制御機構をスイッチオンするための信号を評価する電子回路に与えるべく機械的に共同作用するコーディング手段が接続具内に含まれていることを特徴としている。
【０００７】
即ち、前記従来の例はいずれも治療装置本体に接続された治療器具の種類が治療装置本体側にて自動的に検出され、その治療器具に必要な作動媒体が自動的に供給される構成になっている。
【０００８】
【発明が解決しようとする課題】
しかしながら、前記従来の例における特公平６−９５７７号公報に記載された発明は、可撓性のマルチジョイントホースが共用可能に構成されているために重くて治療操作がしにくい他に、可撓性マルチジョイントホースに接続する各種治療器具の継手部形状も共通化する必要があるために、継手部形状が大きくなるという問題がある。
【０００９】
また前記特開２００１−１７８７５３号公報に記載された発明は、マルチジョイント継手部がマルチジョイントを実現する継手部とマルチジョイントホースとが一体的に扱われ、マルチジョイントホース自体にも着脱可能に装着されるそれぞれの治療器具に共通して対応できるように種々の電気配線及び空気、水などの管路を備える必要があるために、マルチジョイントホースが太くて重くなり、治療が行ないにくいという問題がある。
【００１０】
前記特公平３−３４３４５号公報に記載された発明は、本体側の接続具群及び治療器具側の接続具群それぞれが構造的に同一であり、かつ取り外しが容易な連結手段により互いに連結可能であり、各種器具の識別のためのコーディング手段が例示されているが、コーディング手段の接続端子分だけ継手部が大きくならざるを得なかった。
【００１１】
以上、従来の例について述べたが、いずれにしても治療器具に接続するマルチジョイントホースは、導管内の水分に細菌が繁殖するために、常に導管内を滅菌しておく必要がある。従って滅菌のためには使用前に導管内の残留水を排出し、または薬液洗浄を行ない、あるいはホースの外面に付着した切削粉や体液を無水アルコール等にて拭き取り、又はオートクレープ（高圧蒸気滅菌）を施すなどが一般的に行なわれている。
【００１２】
また、このように滅菌処理を繰り返すと電気的接点が劣化するために治療器具の種類を自動認識する形式の装置では誤動作が生じる原因になる。更にホースは２５０回前後の滅菌処理にて使用不能になるので新しいものと取り替える必要が生じる。このためにマルチジョイントホースは、滅菌を程々にして使い捨てにすることが望ましいが、使い捨てにするためにはホースが廉価でなければならない。この点において前記従来の治療器具に用いられるマルチジョイントホースは治療器具の種類を自動認識するための手段が内蔵されているために高価なものとなり、使い捨てにしにくいという問題がる。
【００１３】
因みに、出願人が現在扱っている治療装置は、治療装置本体に対する治療器具の配置が予め基盤上にて設定されているもので、治療現場にて術者が勝手に治療器具の配置替えができないために、この点の改善が望まれていた。
【００１４】
よって本発明は、前記従来の問題点に鑑みてなされたものであり、治療装置本体に対する治療器具の配置位置を自由に設定できるようにすると共に、マルチジョイントホースを軽くて扱いやすい簡素な構成にして、廉価に提供できることを目的とする。
【００１５】
【課題を解決するための手段】
上記目的を達成するため、本発明の治療装置に係る請求項１は、電気、水、空気等を媒体として作動する各種治療器具がマルチジョイントホースを介して治療装置本体に着脱自在に構成された歯科治療装置において、各種治療器具と、治療器具の種類に対応して必要な作動媒体のみを供給する供給回路を内蔵すると共に一端に治療器具に接続する接続端子を有し他端に治療装置本体に接続する接続端子を有する各種マルチジョイントホースと、治療器具の配置位置を任意に設定する配置位置設定手段、作動媒体供給源、各種治療器具のいずれにも対応して各種作動媒体を供給し得る供給回路、各種作動媒体の供給を選択的に設定して治療器具の作動に必要な作動媒体のみを供給する作動媒体供給設定手段、及び各種治療器具をマルチジョイントホースを介して共通に接続し得る複数の接続端子を備えた治療装置本体と、前記治療装置本体の作動媒体供給設定手段により設定された治療器具の配置位置に対して所定の治療器具が接続されたことを認識すると共に、所定の種類以外の治療器具が接続された際に誤接続されたことを検出して警告表示及び／又は警告音にて知らせる警報装置とから成ることを特徴とするものである。
【００１６】
請求項２は、前記配置位置設定手段及び前記作動媒体供給設定手段は、治療器具の配置位置や作動媒体の選択及び供給等の環境設定を液晶表示画面上にてパネルスイッチ操作により行なうことを可能に構成して成ることを特徴とする請求項１記載の歯科治療装置である。
【００１８】
請求項３は、マルチジョイントホース側の接続端子と治療装置本体側の接続端子との接続部に治療器具の種類を検知し得る光反射型センサー又は光透過型センサーから成る非接触型センサーを設けることにより構成したことを特徴とする請求項１又は２記載の歯科治療装置ある。
【００１９】
請求項１によれば、配置位置設定手段により治療装置本体に対して各種治療器具の配置位置を術者が任意に設定することが可能となり、治療が容易になる。
また、作動媒体供給設定手段により治療器具の種類に対応して必要な作動媒体のみを供給することができるので治療器具を接続するマルチジョイントホースは治療器具の種類に対応して必要な作動媒体のみを供給する供給回路を内蔵した簡素な構成で廉価になる。
【００２０】
又、請求項１によれば、予め作動媒体供給設定手段により設定された治療器具の配置位置に対して所定の治療器具が接続されたことが認識され、かつ設定された位置に所定外の治療器具が接続された場合には誤接続されたことが警告表示又は／及び警告音にて知らされるので誤接続が防止される。
【００２１】
請求項２によれば、治療器具の配置位置や作動媒体の選択及び供給等の環境設定を液晶表示画面上にてパネルスイッチ操作することができるので設定操作が容易である。
【００２２】
請求項３によれば、マルチジョイントホース側の接続端子と治療装置本体側の接続端子との接続部に治療器具の種類を検知し得るセンサーを設けたことにより、このセンサーから伝達される検知信号にて接続の正誤が判断される。
特に光反射型センサー又は光透過型センサーから成る非接触型センサーであり、接触型センサーのような接触不良による誤動作を防止することができる。
【００２３】
【発明の実施の形態】
以下本発明の実施の形態を図面を用いて説明する。
図１から図５は本発明の実施の形態に係り、図１は診療椅子に取り付けた治療装置の斜視図、図２及び図３は接続端子、図４は環境設定のフローチャート、図５は作動媒体の供給回路図である。
【００２４】
本発明は、治療器具１が可撓性を有するマルチジョイントホース２を介して治療装置本体５に接続され、治療装置本体５から供給される作動媒体を介して治療器具１を作動させる治療装置において、マルチジョイントホース２及びマルチジョイントホース２の一端に治療器具１を接続する接続端子３とマルチジョイントホース２の他端を治療装置本体５側に接続する接続端子４とが、接続された治療器具１の種類に対応して必要な作動媒体のみを供給し得る最小限の供給回路が内蔵されたものであり、更に治療装置本体５側に接続する接続端子４には図２及び図３に示すように接続された治療器具１の種類をセンサーにて識別する識別部材７ａ又は７ｂが設けられている。
なお図１の例では治療装置本体５が患者用椅子２８側に回動自在に取り付けられているが、床置き型でもよく治療装置本体５の設置形式に束縛されるものではない。また図中の符号２９はカウンセリングキャビネット、３０はスピットンボウルを示している。
【００２５】
図２の場合は光反射型センサーの例であり、接続端子４ａの軸心に直交して扇形の識別部材７ａが設けられたものである。この識別部材７ａには１乃至複数の貫通穴又は凹部が形成されており、この貫通穴８や凹部は治療器具１の種類により位置や数が異なる治療器具１それぞれの固有のものである。
そしてこの光反射型センサーは、治療装置本体５側に光反射検知装置（不図示）が設けられていて光反射検知装置から照射される光が凹部では反射し貫通穴では通過して反射しないことにより受光部側にて感知する反射光の位置や数にて治療器具１の種類を識別することができる公知の技術である。
【００２６】
図３の場合は光透過型センサーの例であり、接続端子４ｂの軸心に平行して平板形の識別部材７ｂが設けられたものである。この識別部材７ｂには１乃至複数の貫通穴又は凹部が形成されており、この貫通穴８や凹部は治療器具１の種類により位置や数が異なる治療器具１それぞれの固有のものである。
そしてこの光透過型センサーは、治療装置本体５側に光透過検知装置（不図示）が設けられていて光反透過検知装置から照射される光が凹部では反射し貫通穴では通過して反射しないことにより受光部側にて感知する透過光の位置や数にて治療器具１の種類を識別することができる公知の技術である。
【００２７】
また、装置本体５には各種治療器具１に対して供給し得る各種作動媒体の供給源と、治療装置本体５に対して治療器具１の配置位置を任意に設定し得る配置位置設定手段と、各種治療器具１のいずれにも対応して各種作動媒体を供給し得る供給回路と、各種作動媒体の供給を選択的に設定して必要な作動媒体のみを供給する作動媒体供給設定手段と、各種治療器具をマルチジョイントホース２を介して共通に接続し得る複数の接続端子とが備えられている。
【００２８】
なお、配置位置設定手段及び作動媒体供給設定手段は、治療器具１の配置位置や作動媒体の選択及び供給等の環境設定を液晶表示画面（ＬＣＤ）２７上にてパネルスイッチ操作により行なうことが可能に構成されている。
【００２９】
また、配置位置設定手段により設定された治療器具１の配置位置に対して所定の治療器具１が接続されたことを認識すると共に、所定の種類以外の治療器具１が接続された際に誤接続されたことが検出され、警告表示及び／又は警告音にて知らせる警報装置２６（図４）が設けられている。
【００３０】
以下、上記構成の治療装置の配置位置設定手段にて各種治療器具１を治療装置本体５側に配置する位置を任意に設定し、治療装置本体５に接続された治療器具１の種類に対応して必要な作動媒体のみを作動媒体供給設定手段により供給する等の手順について図４に示すフローチャート及び図５に示す作動媒体の供給回路図を用いて具体的に説明する。
【００３１】
なお説明の都合上、治療装置にはシリンジ１本、エアタービンハンドピース２本、マイクロモータハンドピース１本、超音波スケーラ１本がマルチジョイントホース２を介して治療装置本体５に接続されているものとする。
【００３２】
（１）  治療装置本体５に対してシリンジを装着する場合。
先ず、治療装置本体５のブラケットテーブル９の前面又は近傍に配置された液晶表示画面２７上にて図４に示す「環境設定」１０を選択し、その画面上にて治療器具１の配置位置、例えば「配置位置１」１１を選択する。なお配置位置はチェア側（不図示）から治療装置本体５の正面に向かって左側から配置位置１，２，３，４，５とする。
次に治療器具１の種類として「シリンジ」１６を選択する。
次に「治療器具の状態設定」２０を選択する。
なお、この時、シリンジの「状態設定」２０は各々設定することが可能であるが、予めシリンジの「状態設定」２０を登録しておき、これを呼び出して設定することも可能である。
次に「適用」２４を選択する。
【００３３】
上記操作により「配置位置１」１１の場所にシリンジが設定され、またシリンジを作動させるために必要な作動媒体供給回路２５（チップエア供給回路ＯＮ、水供給回路ＯＮ、加温用作動電力供給回路ＯＮ、オプチカランプ（照明）用作動電力供給回路ＯＮ）のデータをメモリに記憶させておくことが可能であり、シリンジを作動させる時には、メモリに記憶されているシリンジのデータを読み出してチップエア供給回路、水供給回路、作動媒体供給回路からシリンジに必要な作動媒体を供給することができる。
【００３４】
この時、「環境設定」１０を行なったメモリのデータと接続された治療器具１とが異なっている場合は、接続端子４ａ又は４ｂの外装に設けられた治療器具識別部材７ａ又は７ｂにて識別センサーが感知してメモリのデータと照合され誤接続であることが「適用」２４を選択した直後に警告表示と音声にて知らされる。
【００３５】
（２）  治療装置本体５に対してエアタービンハンドピースを装着する場合。先ず、治療装置本体５のブラケットテーブル９の前面又は近傍に配置された液晶表示画面２７上にて「環境設定」１０を選択し、その画面上にて治療器具の配置位置、例えば「配置位置２」１２を選択する。
次に治療器具１の種類として「エアタービンハンドピース」１７を選択する。
次に「治療器具の状態設定」２１を選択する。
なお、この時、エアタービンハンドピースの「状態設定」２１はを各々設定することができるが、予めエアタービンハンドピースの「状態設定」２１を登録しておき、これを呼び出して設定することも可能である。
次に「適用」２４を選択する。
【００３６】
上記操作により「配置位置２」１２の場所にエアタービンハンドピースが設定され、またエアタービンハンドピースを作動させるために必要な作動媒体供給回路２５（ドライブエア供給回路ＯＮ、チップエア供給回路ＯＮ，水供給回路ＯＮ、オプチカランプ（照明）用作動電力供給回路ＯＮ）のデータをメモリに記憶させておくことが可能であり、エアタービンハンドピースを作動させる時には、メモリに記憶されているエアタービンハンドピースのデータを読み出してドライブエア供給回路、チップエア供給回路、水供給回路、作動媒体供給回路からエアタービンハンドピースに必要な作動媒体を供給することができる。
【００３７】
この時、「環境設定」１０を行なったメモリのデータと接続された治療器具１とが異なっている場合は、接続端子４ａ又は４ｂの外装に設けられた治療器具識別部材７ａ又は７ｂにて識別センサーが感知してメモリのデータと照合され誤接続であることが「適用」２４を選択した直後に警告表示と音声にて知らされる。
【００３８】
（３）  治療装置本体５に対してエアタービンハンドピースを「配置位置４」１４に装着する場合は上記（２）と同様な操作にて行なうことができる。
【００３９】
（４）  治療装置本体５に対してマイクロモータハンドピースを装着する場合。  先ず、治療装置本体５のブラケットテーブル９の前面又は近傍に配置された液晶表示画面２７上にて「環境設定」１０を選択し、その画面にて治療器具の配置位置、例えば「配置位置３」１３を選択する。
次に治療器具１の種類として「マイクロモータハンドピース」１８を選択する。  次に「治療器具１」の「状態設定」２２を選択する。
なお、この時、マイクロモータハンドピースの「状態設定」２２は各々設定することができるが、予めマイクロモータハンドピースの「状態設定」２２を登録しておき、これを呼び出して設定することも可能である。
次に「適用」２４を選択する。
【００４０】
上記操作により「配置位置３」１３の場所にマイクロモータハンドピースが設定され、またマイクロモータハンドピースを作動させるために必要な作動媒体供給回路（チップエア供給回路ＯＮ，水供給回路ＯＮ、オプチカランプ（照明）用作動電力供給回路ＯＮ、マイクロモータハンドピースのモータ用電力制御回路ＯＮ）のデータをメモリに記憶させておくことが可能であり、マイクロモータハンドピースを作動させる時には、メモリに記憶されているマイクロモータハンドピースのデータを読み出してチップエア供給回路、水供給回路、作動媒体供給回路からマイクロモータハンドピースに必要な作動媒体を供給することができる。
【００４１】
この時、「環境設定」１０を行なったメモリのデータと接続された治療器具１とが異なっている場合は、接続端子４ａ又は４ｂの外装に設けられた治療器具識別部材７ａ又は７ｂにて識別センサーが感知してメモリのデータと照合され誤接続であることが「適用」２４を選択した直後に警告表示と音声にて知らされる。
【００４２】
（５）  治療装置本体５に対して超音波スケーラを配置設定する場合。
先ず、治療装置本体５のブラケットテーブル９の前面又は近傍に配置された液晶表示画面２７上にて「環境設定」１０を選択し、その画面にて治療器具の配置位置、例えば「配置位置５」１５を選択する。
次に治療器具１の種類として「超音波スケーラ」１９を選択する。
次に「治療器具１」の「状態設定」２３を選択する。
なお、この時、超音波スケーラの「状態設定」２３は各々設定することができるが、予め超音波スケーラの「状態設定」２３を登録しておき、これを呼び出して設定することも可能である。
次に「適用」２４を選択する。
【００４３】
上記操作により「配置位置５」１５の場所に超音波スケーラが設定され、また超音波スケーラを作動させるために必要な作動媒体供給回路２５（水供給回路ＯＮ、スケーラチップの振動に必要な作動電力ＯＮ）のデータをメモリに記憶させておくことが可能であり、超音波スケーラを作動させる時には、メモリに記憶されている超音波スケーラのデータを読み出して水供給回路、作動媒体供給回路から超音波スケーラに必要な作動媒体を供給することができる。
【００４４】
この時、「環境設定」１０を行なったメモリのデータと接続された治療器具１とが異なっている場合は、接続端子４ａ又は４ｂの外装に設けられた治療器具識別部材７ａ又は７ｂにて識別センサーが感知してメモリのデータと照合され誤接続であることが「適用」２４を選択した直後に警告表示と音声にて知らされる。
【００４５】
【発明の効果】
本発明によれば、従来の治療装置のように治療器具の種類を自動認識する構成ではないので、自動認識のための電気的接点不良による誤動作がなくなり、またマルチジョイントホースは治療器具の種類に対応した必要最小限の作動媒体のみを供給する供給回路だけを内蔵した簡素な構成になりマルチジョイントホースの両端に連結した接続端子も簡素かつ小形になるので、軽量にて使いやすく、しかも廉価に提供することができる。これにより使い捨ても可能になる。
【００４６】
また、治療装置本体に設けられた配置位置設定手段により治療器具を都合の良い位置に自由に選択決定することができるので治療が容易になる。しかも設定した配置位置に所定外の治療器具が誤接続された場合には誤接続を警告表示又は／及び警告音にて警報装置により知らせるので誤接続が防止され、安心して使用することが可能となる。
【００４７】
更に、治療器具の配置位置を決める配置位置設定手段、及び治療器具の種類に対応して必要な作動媒体のみを供給する作動媒体供給設定手段が装置本体内に設けられており、これらを液晶表示画面上にてパネルスイッチ操作することができるので、設定操作が容易である。
【図面の簡単な説明】
【図１】本発明の実施の形態に係る診療椅子に取り付けた治療装置の斜視図である。
【図２】接続端子の斜視図である。
【図３】接続端子の斜視図である。
【図４】環境設定のフローチャートである。
【図５】作動媒体の供給回路図である。
【図６】従来の治療器具とマルチジョイントホースの説明図である。
【図７】従来に治療装置の側面図である。
【符号の説明】
１  治療器具
２  マルチジョイントホース
３，４  接続端子
５  治療装置本体
６  ホルダー
７  識別部材
８  貫通穴
９  ブラケットテーブル
１０  環境設定
１１，１２，１３，１４，１５  配置位置
１６  シリンジ
１７  エアタービン
１８  マイクロモータ
１９  スケーラ
２０，２１，２２，２３  状態設定
２４  適用
２５  作動媒体供給回路
２６  誤接続認識手段
２７  液晶表示画面
２８  患者用椅子
２９  カウンセリングキャビネット
３０  スピットンボウル
【図１】
0004037650.tif 000002
【図２】
0004037650.tif 000003
【図３】
0004037650.tif 000004
【図４】
0004037650.tif 000005
【図５】
0004037650.tif 000006
【図６】
0004037650.tif 000007
【図７】
0004037650.tif 000008